(57)【要約】      （修正有）【課題】夜間に手に提げて持ち歩くことにより交通事故に遭遇することを未然に防止することができる手提げ袋を提供する。【解決手段】筒状のプラスチックフィルムの両端がヒートシールされて一端側が底部３とされ、他端側が略Ｕ字状にカットされて開口部４が形成されるとともに左右の吊手５、５が形成された手提げ袋において、袋の表面の一部乃至全域に、光が当ると浮き上がったように見える溶剤を含むインクによる印刷によりコーティングされて形成された明示ゾーン７を有する構成とした。【選択図】図１
0003131079.tif 000002
【実用新案登録請求の範囲】
【請求項１】
筒状のプラスチックフィルムの両端がヒートシールされてその一端側が底部とされ、他端側が略Ｕ字状にカットされて開口部が形成されるとともに左右の吊手が形成された手提げ袋において、袋の表面の一部乃至は全域に、光が当ると浮き上がったように見える溶剤を含むインクによる印刷によりコーティングされて形成された明示ゾーンを有していることを特徴とする手提げ袋。
【請求項２】
前記明示ゾーンは、特殊メジューム印刷によるコーティングにより形成されている請求項１記載の手提げ袋。
【請求項３】
前記明示ゾーンは、袋素材である筒状プラスチックフィルムを押し出し成形後、前記インクによるグラビア印刷によりコーティングして形成されている請求項１または２記載の手提げ袋。
【請求項４】
前記明示ゾーンは、袋表面の袋底部と開口部との中間位置に任意形状に形成されている請求項１〜３のいずれか１項記載の手提げ袋。
【請求項５】
前記手提げ袋がスーパーマーケットやコンビニエンスストア等の店舗のレジスタで提供されるレジ袋である請求項１〜４のいずれか１項記載の手提げ袋。
【考案の詳細な説明】
【技術分野】
【０００１】
本考案は手提げ袋に係り、特に夜間街灯のない暗い道路を歩くとき、自動車のドライバーにその人の存在を明示して交通安全を図る手提げ袋に関する。
【背景技術】
【０００２】
近時、深夜まで営業を行うスーパーマーケットや２４時間営業のコンビニエンスストアが各地に存在するようになり、日用品や食料品などの販売の主流となっている。
【０００３】
このような店舗で買物をしたのち街頭のない道路を歩いているとき、自動車のドライバーからはその人の存在が見落されがちとなり、交通事故を招くという問題がある。
【０００４】
一方、路上等で夜間作業を行う場合には、その作業に携わる作業者が着用する作業衣や作業用器物に蓄光塗料を塗着してこれに自動車のヘッドライトが当ると光輝して作業者や器物の存在が明示されるようにする手段が採られている。
【０００５】
しかして上記のような専門的な作業衣や器物の場合は高価な蓄光塗料を塗布する手段によって解決を計ることはできるが、一般の人はこのような蓄光塗料を持ち物に塗布するようなことはできず、夜間暗所での安全を図る手段は採られていなかった。
【特許文献１】特開２００６−３１２４８６号公報
【考案の開示】
【考案が解決しようとする課題】
【０００６】
本考案は上記の点に鑑み、夜間に商品を購入したのち、手で提げて持ち帰る際、自動車のヘッドライトが照射されたとき一部が暗所に浮き上がって見え、その人の存在をドライバーに的確に知らしめることができる手提げ袋、特にレジ袋と称されるプラスチックフィルム製の手提げ袋を提供することを課題とする。
【課題を解決するための手段】
【０００７】
上記課題を解決する手段として本考案は、筒状のプラスチックフィルムの両端がヒートシールされてその一端側が底部とされ、他端側が略Ｕ字状にカットされて開口部が形成されるとともに左右の吊手が形成された手提げ袋において、袋の表面の一部乃至全域に、光が当ると浮き上がったように見える溶剤を含むインクによりコーティングを施して明示ゾーンを形成したことにある。
【０００８】
上記明示ゾーンは、特殊メジューム印刷によりコーティングする手段によることが好ましい。
【０００９】
また上記明示ゾーンは、袋素材である筒状プラスチックフィルムを押し出し成形後、グラビア印刷によりコーティングして形成することができる。
【００１０】
そして上記明示ゾーンは、袋表面の袋底部と開口部との中間位置に形成することが手提げ袋を手に提げて持つとき自動車のヘッドライトが最も当りやすいので明示効果を最大限に発揮させることができるので好ましい。また明示ゾーンの形成に際しては任意の意匠を施すことができ、文字等をアレンジした形態であってもよく、店舗の宣伝広告媒体としての内容を盛り込むことができる。
【考案の効果】
【００１１】
本考案によれば、夜間営業の店舗で購入した商品を本考案による手提げ袋に入れて街灯のないような暗い道路を持ち歩くとき、自動車のヘッドライトが手提げ袋の明示ゾーンに照射されると、該ゾーンが暗闇に浮き上がるように明示されるのでその人の存在をドライバーに確実に認知させることができ、夜間の交通事故を未然に防ぐことができる。
【００１２】
上記の明示ゾーンは、特殊インクによる印刷でコーティングすることにより形成しているので、従来の蓄光塗料による反射方式に比し著しく低コストで得ることができ、スーパーマーケットやコンビニエンスストアなどで顧客に提供するレジ用手提げ袋として使用してもさしたるコストアップを招くことがない。
【００１３】
また上記明示ゾーンは、任意の模様や絵柄、文字等を容易に印刷することができるので、店の特徴や商品名、店名などを表わす表示を行うことができ、広告機能をも発揮させることができるなど、一挙両得の効果が得られる。
【考案を実施するための最良の形態】
【００１４】
図示の手提げ袋１は、一般のスーパーマーケットやコンビニエンスストアなどで使用されるプラスティックフィルム製の手提げのできる袋で、押し出し成形等により形成される筒状のプラスチックフィルムの両端部が内方へ折り込まれてガゼット２、２とされるとともに両端がヒートシールされて一端側が底部３、他端側が略Ｕ字状にカットされて開口部４および左右にループ状の吊手５、５が形成された袋を示している。
【００１５】
なお符号６、６は、開口部４の中央に突設される開口部閉じ用の突片である。
【００１６】
本考案においては、上記手提げ袋１の表面適所に、光が当ると浮き上がって見える溶剤、例えば、反射作用を有する反射微粒子を含むインクよる印刷によりコーティングされて形成された明示ゾーン７が設けられている。
【００１７】
この明示ゾーン７の印刷には特殊メジューム印刷によるコーティングにより形成することが好ましい。
【００１８】
上記明示ゾーン７の形成には、袋素材である筒状プラスチックフィルムを押し出して形成した後、グラビア印刷によりコーティングして形成することができる。
【００１９】
また上記明示ゾーン７は、図示のような単純な形状に限らず、店名、商品名、その他広告用文言、図柄、絵柄など任意の形態とすることができ、光が当ったとき浮き出ることによりその内容が分る意外性もあって店としての宣伝広告効果を挙げることができる。
【００２０】
したがって本考案によれば、夜間営業している店舗で購入した商品を上記の手提げ袋１に入れて街灯のないような暗い道を歩くとき、自動車のヘッドライトが手提げ袋１の、明示ゾーン７に当るとその形が浮き上がって見え、ドライバーにその人の存在をいち早く知らしめて安全を図ることができる。
【００２１】
なお、手提げ袋１の形状や構造、材質等に関しては上記実施形態に限られるものではなく、前記のインクで印刷によるコーティングが可能であれば、他の形態や構造、材質の手提げ袋であってもよいことはもちろんである。
【図面の簡単な説明】
【００２２】
【図１】本考案による手提げ袋の一実施形態を示す正面図。
【図２】図１のＡ−Ａ略示断面図。
【符号の説明】
【００２３】
１  本考案による手提げ袋
２  ガセット
３  底部
４  開口部
５  吊手
６  突片
７  明示ゾーン
【図１】
0003131079.tif 000003
【図２】
0003131079.tif 000004